(57)【要約】　　　（修正有）【課題】移動端末装置の所有者が、個人の属性や趣味等の個人情報や現在位置に適合した情報を自動的に得られる個人別情報提供システムを提供する。【解決手段】所有者の個人情報を記憶し、その個人情報を無線通信網を介して外部から読み出しうる記憶部を備えた移動端末装置１０１と、個人情報の内容に応じた情報を保存する情報データベース１０８と無線通信網を介して前記記憶部から取得した個人情報の内容に応じた情報をデータベース１０８から選択して無線通信網を介し移動端末装置１０１に提供するサーバ１０７とを有する情報提供装置１０９とから構成することにより、所有者は移動端末装置を操作する必要なく、個人の属性に合致した情報を自動的に得ることができる。【選択図】　図１
2004038696.tif 000002
【特許請求の範囲】
【請求項１】
所有者の個人情報を記憶し前記個人情報を無線通信網を介して外部から読み出しうる記憶部を備えた移動端末装置と、情報を保存するデータベースと、前記無線通信網を介して前記記憶部から取得した前記個人情報の内容に応じた情報を前記データベースから選択して前記無線通信網を介し前記移動端末装置に提供するサーバとを有する情報提供装置とを備えることを特徴とする個人別情報提供システム。
【請求項２】
前記個人情報には、前記移動端末装置の所有者の住所および氏名を含む基本情報と趣味および嗜好に関する情報が含まれることを特徴とする請求項１記載の個人別情報提供システム。
【請求項３】
前記移動端末装置は、自己の現在位置を検出する位置検出手段と、前記位置検出手段により検出された現在位置に対応する位置情報と前記所有者の個人情報とを記憶する個人情報および位置情報記憶部とを備えることを特徴とする請求項１または２記載の個人別情報提供システム。
【請求項４】
前記位置検出手段は自己の位置情報を検出するＧＰＳ受信部であることを特徴とする請求項３記載の個人別情報提供システム。
【請求項５】
前記位置検出手段は、自己が接続している無線基地局装置の識別子から自己の現在位置を検出する位置情報検出手段であることを特徴とする請求項３記載の個人別情報提供システム。
【請求項６】
前記移動端末装置は、前記記憶部に記憶された各個人情報毎に、外部からの読出しの可否を決定するフラグを設定するフラグ設定手段と、前記情報提供装置から前記個人情報の読出し要求があったときに、前記フラグが設定されている個人情報のみの読出しを許可する制御手段とを備えることを特徴とする請求項１ないし５のいずれかに記載の個人別情報提供システム。
【請求項７】
前記移動端末装置への情報提供の頻度に応じて発生する費用を、前記情報提供装置が提供する情報の提供元が負担する機能を有することを特徴とする請求項１記載の個人別情報提供システム。
【請求項８】
前記移動端末装置に提供される情報の種類に応じて、発生する費用を、前記情報提供装置が提供する情報の提供元が負担する機能を有することを特徴とする請求項１記載の個人別情報提供システム。
【請求項９】
所有者の個人情報を記憶し前記個人情報を無線通信網を介して情報提供装置から読み出しうる記憶部と、前記情報提供装置が前記記憶部から読み出した個人情報に応じて、前記情報提供装置のデータベースから選択した情報を前記無線通信網を介して受信するよう制御する制御部とを備えることを特徴とする移動端末装置。
【請求項１０】
自己の現在位置を検出する位置検出手段と、前記位置検出手段により検出された現在位置に対応する位置情報と前記所有者の個人情報とを記憶する個人情報および位置情報記憶部とを備えることを特徴とする請求項９記載の移動端末装置。
【請求項１１】
前記位置検出手段は自己の位置情報を検出するＧＰＳ受信部であることを特徴とする請求項１０記載の移動端末装置。
【請求項１２】
前記位置検出手段は、自己が接続している無線基地局装置の識別子から自己の現在位置を検出する位置情報検出手段であることを特徴とする請求項１０記載の移動端末装置。
【請求項１３】
前記記憶部に記憶された各個人情報毎に、外部からの読出しの可否を決定するフラグを設定するフラグ設定手段と、前記情報提供装置から前記個人情報の読出し要求があったときに、前記フラグが設定されている個人情報のみ読出しを許可する制御手段とを備えることを特徴とする請求項９ないし１２のいずれかに記載の移動端末装置。
【請求項１４】
受信した情報の内容を表示する表示部を備えることを特徴とする請求項９ないし１３のいずれかに記載の移動端末装置。
【請求項１５】
情報を保存するデータベースと、無線通信網を介して移動端末装置の記憶部から取得した所有者の個人情報の内容に応じた情報を前記データベースから選択して前記無線通信網を介し前記移動端末装置に提供するサーバとを備えることを特徴とする情報提供装置。
【請求項１６】
前記サーバは、情報を提供する日時、曜日を考慮して前記移動端末装置に対して提供する情報を選択する機能を有することを特徴とする請求項１５記載の情報提供装置。
【発明の詳細な説明】
【０００１】
【発明の属する技術分野】
本発明は、移動端末装置の所有者毎に趣味、嗜好に対応する情報を自動的に提供する個人別情報提供システム、移動端末装置および情報提供装置に関する。
【０００２】
【従来の技術】
従来、この種の個人別情報提供システムの一例としては、図７に示すようなものがあった。図７は従来の携帯電話システムに応用した個人別情報提供システムの一例の基本構成を示すものである。図７に示す個人別情報提供システムは、携帯電話等の移動端末装置７０１と、移動端末装置７０１と無線通信を行う携帯電話通信網７０２と、携帯電話通信網７０２と接続される公衆通信網７０３と、携帯電話通信網７０２或いは公衆通信網７０３と接続されるサーバ７０４、７０７と、サーバ７０４に接続され移動端末装置７０１に提供される情報が格納されたデータベース７０５と、サーバ７０７に接続され移動端末装置７０１に提供される情報が格納されたデータベース７０８と、サーバ７０４とデータベース７０５とからなる情報提供装置７０６と、サーバ７０７とデータベース７０８とからなる情報提供装置７０８とにより構成される。
【０００３】
移動端末装置７０１の所有者は、携帯電話通信事業者と契約することにより、携帯電話通信網７０２を介して、携帯電話通信網７０２或いは公衆通信網７０３に接続された情報提供装置７０６或いは情報提供装置７０９にアクセスできるように構成される。
【０００４】
次に、図８に示す従来の携帯電話システムに応用した個人別情報提供システムにおける処理シーケンスの一例を参照して、図７に示す従来の個人別情報提供システムの動作を説明する。移動端末装置７０１の所有者が必要とする情報を得るためには、まずステップＳ１（以下、ステップの文字は省略する）において、移動端末装置７０１を操作することで携帯電話通信網７０２に対して回線接続要求を送信し、移動端末装置７０１と携帯電話通信網７０２の間に無線リンクチャネルを確保する必要がある。無線リンクチャネルが確保された場合には、Ｓ２において携帯電話通信網７０２から移動端末装置７０１に対して、無線リンクチャネルが確保されたことを示す接続応答が送信される。これによりＳ３において通信リンクが確立され、移動端末装置７０１と情報提供装置７０６との間でデータの送受信が可能となる。次に、移動端末装置７０１の所有者はＳ４において再び移動端末装置７０１を操作して、自分が必要とする情報の提供を情報提供装置７０６に要求する。情報提供装置７０６ではＳ５において移動端末装置７０１からの要求を受信し、Ｓ６においてその内容を識別し、Ｓ７において送信要求があった情報を移動端末装置７０１に対して送信する。移動端末装置７０１ではＳ８において情報提供装置７０６から送信された情報を受信し、最後にＳ９において通信リンクを切断する。
【０００５】
このように、従来、この種の個人別情報提供システムにおいては、移動端末装置７０１の所有者が、個人の属性、趣味、嗜好および現在位置などの条件に適合した情報を得るためには、その都度情報提供装置７０６に対して情報の提供を促す必要があり、移動端末装置７０１の所有者主導型の情報提供サービスを提供するのが一般的であった。
また、従来、この種の個人別情報提供システムにおいては、前述の一連の情報取得動作に伴なって発生する通信料は移動端末装置の所有者が負担するのが一般的であった。
【０００６】
【発明が解決しようとする課題】
しかしながら、このような、従来の個人別情報提供システムにおいて、所有者は個人の属性、趣味、嗜好および現在位置などの条件に適合した、欲しい情報を得るためには所有者の方から行動を起こして操作を行うことが必要があり、また所有者は取得する情報を移動端末装置に転送するために必要な通信料を負担しなければならず、さらに提供を受ける情報の内容によっては通信料の他に情報料までも所有者が負担するなど、所有者の手間が多く掛かり、さらに経済的な負担が大きいという問題があった。
【０００７】
本発明は、上記従来の問題を解決するためになされたもので、移動端末装置の所有者が、個人の属性、趣味、嗜好および現在位置などの条件に適合した情報を、所有者の操作を必要とせずに自動的に得ることができる個人別情報提供システム、情報提供装置および移動端末装置を提供するものである。
【０００８】
【課題を解決するための手段】
本発明における個人別情報提供システムは、所有者の個人情報を記憶し前記個人情報を無線通信網を介して外部から読み出しうる記憶部を備えた移動端末装置と、情報を保存するデータベースと、前記無線通信網を介して前記記憶部から取得した前記個人情報の内容に応じた情報を前記データベースから選択して前記無線通信網を介し前記移動端末装置に提供するサーバとを有する情報提供装置とを備えるという構成を有している。この構成により、移動端末装置の所有者は操作する必要がなく、個人の属性に合致した情報を自動的に得ることができる上、情報提供元の企業あるいは個人は効果的で効率の良い広告活動を行うことができる。
【０００９】
本発明における個人別情報提供システムは、前記個人情報には、前記移動端末装置の所有者の住所および氏名を含む基本情報と趣味および嗜好に関する情報が含まれるという構成を有している。この構成により、移動端末装置の所有者は操作することなく、個人の属性に加え、趣味、嗜好に合致した情報を自動的に得ることができる。
【００１０】
本発明における個人別情報提供システムは、前記移動端末装置が自己の現在位置を検出する位置検出手段と、前記位置検出手段により検出された現在位置に対応する位置情報と前記所有者の個人情報とを記憶する個人情報および位置情報記憶部とを備えるという構成を有している。この構成により、移動端末装置の所有者は操作することなく、個人の属性および趣味、嗜好に加えて現在位置に合致した情報を自動的に得ることができる。
【００１１】
本発明における個人別情報提供システムは、前記位置検出手段が自己の位置情報を検出するＧＰＳ受信部であるという構成を有している。この構成により、移動端末装置の所有者は操作することなく、個人の属性および趣味、嗜好に加えて現在位置に合致した情報を自動的に得ることができる。
【００１２】
本発明における個人別情報提供システムは、前記位置検出手段が、自己が接続している無線基地局装置の識別子から自己の現在位置を検出する位置情報検出手段であるという構成を有している。この構成により、移動端末装置の所有者は操作することなく、個人の属性および趣味、嗜好に加えて現在位置に合致した情報を自動的かつ簡単に得ることができる。
【００１３】
本発明における個人別情報提供システムは、前記移動端末装置が、前記記憶部に記憶された各個人情報毎に、外部からの読出しの可否を決定するフラグを設定するフラグ設定手段と、前記情報提供装置から前記個人情報の読出し要求があったときに、前記フラグが設定されている個人情報のみの読出しを許可する制御手段とを備えるという構成を有している。この構成により、移動端末装置の所有者は、場合によって外部への個人情報の公開および非公開を個別に選択することができる。
【００１４】
本発明における個人別情報提供システムは、前記移動端末装置への情報提供の頻度に応じて発生する費用を、前記情報提供装置が提供する情報の提供元が負担する機能を有するという構成を有している。この構成により、移動端末装置の所有者は経済的負担が増加することなく、情報提供サービスを受けることができる。
【００１５】
本発明における個人別情報提供システムは、前記移動端末装置に提供される情報の種類に応じて、発生する費用を、前記情報提供装置が提供する情報の提供元が負担する機能を有するという構成を有している。この構成により、移動端末装置の所有者は経済的負担が増加することなく情報提供サービスを受けることができる。
【００１６】
本発明における移動端末装置は、所有者の個人情報を記憶し前記個人情報を無線通信網を介して情報提供装置から読み出しうる記憶部と、前記情報提供装置が前記記憶部から読み出した個人情報の内容に応じて、情報を前記情報提供装置のデータベースから選択した情報を前記無線通信網を介して受信するよう制御する制御部とを備えるという構成を有している。この構成により、移動端末装置の所有者は操作することなく、個人の属性に合致した情報を自動的に得ることができる。また情報の提供元の企業あるいは個人は効果的で効率の良い広告活動を行うことができる。
【００１７】
本発明における移動端末装置は、自己の現在位置を検出する位置検出手段と、前記位置検出手段により検出された現在位置に対応する位置情報と前記所有者の個人情報とを記憶する個人情報および位置情報記憶部とを備えるという構成を有している。この構成により、移動端末装置の所有者は操作することなく、個人の属性および趣味、嗜好に加えて現在位置に合致した情報を自動的に得ることができる。
【００１８】
本発明における移動端末装置は、前記位置検出手段が自己の位置情報を検出するＧＰＳ受信部であるという構成を有している。この構成により、移動端末装置の所有者は操作することなく、個人の属性および趣味、嗜好に加えて現在位置に合致した情報を自動的に得ることができる。
【００１９】
本発明における移動端末装置は、前記位置検出手段が、自己が接続している無線基地局装置の識別子から自己の現在位置を検出する位置情報検出手段であるという構成を有している。この構成により、移動端末装置の所有者は操作することなく、個人の属性および趣味、嗜好に加えて現在位置に合致した情報を自動的かつ簡単に得ることができる。
【００２０】
本発明における移動端末装置は、前記記憶部に記憶された各個人情報毎に、外部からの読出しの可否を決定するフラグを設定するフラグ設定手段と、前記情報提供装置から前記個人情報の読出し要求があったときに、前記フラグが設定されている個人情報のみ読出しを許可する制御手段とを備えるという構成を有している。この構成により、移動端末装置の所有者は、場合によって外部への個人情報の公開および非公開を個別に選択することができる。
【００２１】
本発明における移動端末装置は、受信した情報の内容を表示する表示部を備えるという構成を有している。この構成により、所有者は情報提供装置からの情報を容易に確認することができる。また情報の提供元の企業あるいは個人は効果的で効率の良い広告活動を行うことができる。
【００２２】
本発明における情報提供装置は、情報を保存するデータベースと、無線通信網を介して移動端末装置の記憶部から取得した所有者の個人情報の内容に応じた情報を前記データベースから選択して前記無線通信網を介し前記移動端末装置に提供するサーバとを備えるという構成を有している。この構成により、移動端末装置の所有者は操作することなく、個人の属性、趣味、嗜好に合致した情報を自動的に得ることができる。また情報の提供元の企業あるいは個人は効果的で効率の良い広告活動を行うことができる。
【００２３】
本発明における情報提供装置は、前記サーバが、情報を提供する日時、曜日を考慮して前記移動端末装置に対して提供する情報を選択する機能を有するという構成を有している。この構成により、移動端末装置の所有者は操作することなく、個人の属性および趣味、嗜好に加えて日時、曜日に合致した情報を得ることができる。また情報の提供元の企業あるいは個人はより効果的で効率の良い広告活動を行うことができる。
【００２４】
【発明の実施の形態】
以下、添付図面に基づき、本発明の第１および第２の実施の形態を詳細に説明する。
まず、図１ないし図３を参照して、本発明の第１の実施形態における個人別情報提供システム、情報提供装置および移動端末装置の構成を説明する。
個人別情報提供システムの構成を示す図１において、個人別情報提供システムは、所有者がもつ移動端末装置１０１、１１１と、移動端末装置１０１と無線通信を行う無線基地局装置１０２と、移動端末装置１１１と無線通信を行う無線基地局装置１１２と、複数の無線基地局装置１０２、１１２と有線などで接続され、主に無線回線の接続に関する制御を行う無線回線制御局装置１０３と、複数の無線回線制御局装置１０３と接続され、移動局との交換を行うとともに、公衆網１０６との接続を行う移動通信交換局装置１０４とを有する。
【００２５】
また、無線基地局装置１０２、１１２、無線回線制御局装置１０３および移動通信交換局装置１０４を移動端末装置１０１、１１１に対して固定局装置１０５と総称する。さらに、公衆網１０６を介して固定局装置１０５と接続されるサーバ１０７と、サーバ１０７に接続される情報データベース１０８とにより、情報提供装置１０９を構成する。この例では、情報提供装置１０９は公衆網１０６を介して接続しているが、移動端末装置１０１、１１１の無線回線網に直接接続するようにしても良い。また移動端末装置１０１、１１１の所有者と情報提供装置１０９との間の契約に関して、情報提供の頻度や提供される情報の種類に応じて、移動端末装置１０１、１１１の情報取得時に発生する通信料或いはそれ以外に発生する通信料を、情報提供装置１０９が送信する情報の提供元の企業あるいは個人が広告料として負担するような形態とし、移動端末装置１０１、１１１所有者の経済的負担を軽減するようにしても良い。
【００２６】
次に、図２を参照して、本発明の第１の実施の形態における移動端末装置１０１、１１１（以下、移動端末装置１０１で代表する）の構成を説明する。図２に示す移動端末装置１０１は、信号を受信、復調および変調、送信するための送受信部２０１と、通信網を介して外部から内容を読み出すことが可能で、所有者の属性、趣味や嗜好に関する個人情報を記憶する個人情報記憶部２０２と、液晶ディスプレイによって構成され、主に受信した情報を表示する表示部２０３と、送受信するデータの処理や各構成部を制御するための演算を行う中央処理装置（以下、ＣＰＵという）２０４と、ＣＰＵ２０４の演算に必要なプログラムが格納される読出専用メモリ（以下、ＲＯＭという）２０５と、ＣＰＵ２０４が演算を行う上で必要なデータなどが適宜記憶されるランダム・アクセス・メモリ（以下、ＲＡＭという）２０６と、ＣＰＵ２０４に所定の命令を与える時や、個人情報記憶部２０２に個人情報を書き加えたり、記憶された個人情報の内容を修正したりする場合に使用する入力部２０７と、上記各装置間のデータを接続するインタフェース２０８と、無線基地局装置１０２、１１２と無線送受信するアンテナ２０９とを有する。
【００２７】
また、移動端末装置１０１は所有者が個人情報記憶部２０２に記憶された各個人情報毎に、外部からの読出しの可否を決定するフラグを設定するフラグ設定手段（図示せず）を備え、制御手段としてのＣＰＵ２０４は、情報提供装置１０９から個人情報の読出し要求があったときには、対応するフラグが設定されている個人情報のみの読出しを許可するよう制御する。
【００２８】
次に、図３を参照して、本発明の第１の実施の形態における情報提供装置１０９の構成を説明する。図３に示す情報提供装置１０９は、公衆網１０６から信号を受信して復調し、変調した信号を公衆網１０６に送信するための送受信部３０１と、ＣＲＴあるいは液晶ディスプレイなどによって構成され、必要に応じて文字や画像を表示する表示部３０２と、送受信するデータの処理や各構成部を制御するための演算を行うＣＰＵ３０３と、ＣＰＵ３０３の演算に必要なプログラムが格納されるＲＯＭ３０５と、ＣＰＵ３０３が演算を行う上で必要なデーなどが適宜記憶されるＲＡＭ３０４と、ＣＰＵ３０３に所定の命令を与える場合に使用する入力部３０６と、上記各装置間のデータを接続するインタフェース３０７とからなる。
【００２９】
このように、情報提供装置１０９の構成は図２に示した移動端末装置１０１の構成と基本的には同様であるが、移動端末装置１０１に有する個人情報記憶部２０２が無い点、インタフェース３０７を介して移動端末装置１０１に対して送信するための情報が格納されている情報データベース１０８と接続される点、および送受信部３０１がアンテナを介さずに有線で直接公衆網１０６に接続されている点で大きく異なる。また、その他の同じ名称を付した送受信部３０１ないしインタフェース３０７については、その規模や処理能力が異なる。
【００３０】
次に、図４の個人別情報提供システムの処理シーケンスおよび図１ないし図３を参照して、本発明の第１の実施の形態における個人別情報提供システムの処理手順を説明する。まず、情報提供装置１０９は、予め決められた時刻、または位置あるいは適宜任意のときに、公衆網１０６および固定局装置１０５を介して契約している移動端末装置１０１に対してアクセスする。この時、Ｓ１において、情報提供装置１０９のサーバ１０７は、送受信部３０１を介し公衆網１０６に対して接続要求を送信する。次に、Ｓ２において通信リンクが確立された後、Ｓ３においてサーバ１０７は移動端末装置１０１に対して個人情報の開示を求め、個人情報読出し要求を行う。
【００３１】
移動端末装置１０１はＳ４において個人情報読出し要求を受信し、個人情報記憶部２０２へのアクセスを許可する。サーバ１０７はＳ５において個人情報記憶部２０２に記憶されている個人情報を読出し、Ｓ６においてその内容を基に移動端末装置１０１の所有者の属性や趣味、嗜好に合致した情報を情報データベース１０８から選択する。このときサーバ１０７は読出した個人情報に加え情報提供を行う日時、曜日を考慮して、提供する情報を選択するようにしても良い。Ｓ７においてサーバ１０７はＳ６で選択した情報を移動端末装置１０１に対して送信する。移動端末装置１０１は情報提供装置１０９から送信された情報を送受信部２０１を介して受信し、その内容を表示部２０３に表示する。サーバ１０７は移動端末装置１０１が情報を受信したことが確認すると、Ｓ９において通信リンクを切断する。通信リンクの切断はサーバ１０７ではなく移動端末装置１０１が行うようにしても良い。またＳ１ないしＳ９の処理シーケンスは移動端末装置１０１の所有者の操作を一切要求しない形で処理される。
【００３２】
次に、具体的な例を挙げて本発明の第１の実施の形態における個人別情報提供システムの処理手順を説明する。移動端末装置１０１の個人情報記憶部２０２には、移動端末装置１０１の所有者の個人情報として以下の情報が記憶されているものとする。それらは、氏名＝Ａ、年齢＝３０歳、性別＝男性、住所＝横浜市港北区、趣味＝映画鑑賞等である。そこで、情報提供装置１０９は、まず上記の処理シーケンスに従い、移動端末装置１０１の所有者の個人情報を通信網を介して読み出す。情報提供装置１０９は読み出した個人情報から、横浜市内で現在公開されている映画のリストや映画館の場所などの情報を情報データベースから選択し、移動端末装置に対して送信する。ここで、３０歳、男性という点から映画の種類を限定したり、情報提供を行う日時から、例えば休館の映画館を除くなど映画館の情報を限定しても良い。これにより移動端末装置１０１の所有者は自らが操作することなく、無意識のうちに（自動的に）趣味である映画鑑賞に関する情報を得ることができる。
【００３３】
以上説明したように、本発明の第１の実施の形態によると、移動端末装置１０１に通信網を介して外部から内容を読み出すことが可能で、所有者の属性や趣味、嗜好に関する個人情報を記憶する個人情報記憶部２０２を設け、情報提供装置１０９が公衆網１０６を介してこの個人情報記憶部２０２の内容を読出し、移動端末装置１０１の所有者の属性や趣味、嗜好に合致した情報を、データベース１０８から選択し移動端末装置１０１に対して送信する。さらに移動端末装置１０１にてこの情報を受信して表示部２０３に表示することにより、移動端末装置１０１の所有者は自ら操作することなく、個人の属性や趣味、嗜好に合致した情報を自動的に得ることができる。
【００３４】
また情報の提供元の企業あるいは個人は、不特定多数に対してではなく、広告内容に適合する個人向けに的を絞ることができるので、効果的で効率の良い広告活動を行うことができる。また、移動端末装置１０１は情報提供の頻度や提供される情報の種類に応じて、移動端末装置１０１の情報取得時に発生する通信料或いはそれ以外に発生する通信料を、情報提供装置１０９が送信する情報の提供元の企業あるいは個人が広告料として負担し、移動端末装置所有者の通信料の負担を軽減する契約形態を適用することにより、移動端末装置１０１の所有者は経済的負担が増加することなく情報提供サービスを受けることができる。
【００３５】
次に、図５を参照して、本発明の第２の実施形態における個人別情報提供システムの移動端末装置の構成を説明する。本発明の第２の実施形態における移動端末装置５１１は、図５に示すように、自己の位置情報を得るためのＧＰＳ受信部５０１およびＧＰＳアンテナ５０２を追加し、移動端末装置１０１に具備されていた個人情報記憶部２０２を個人情報に加えて位置情報を記憶する個人情報および位置情報記憶部５０３に変更して構成した点が、第１の実施の形態の構成と異なる点である。しかし、移動端末装置５１１の、図２に示す移動端末装置１０１と同一の符号を付したその他の構成要素、および個人別情報提供システム、情報提供装置１０９は、第１の実施の形態における構成要素と同様である。
【００３６】
図５に示す移動端末装置５１１には、図２に示す第１の実施の形態では具備されていなかった位置検出手段としてのＧＰＳ受信部５０１およびＧＰＳアンテナ５０２を追加し、移動端末装置１０１に具備されていた個人情報記憶部２０２の代わりに個人情報および位置情報記憶部５０３を構成したことが第１の実施の形態の構成と異なる点であるが、個人情報および位置情報記憶部５０３は、通信網を介して外部から内容を読み出すことが可能である点では、第１の実施の形態の構成例に具備されていた個人情報記憶部２０２と同様である。この構成において、ＣＰＵ２０４はインタフェース２０８を介して、ＧＰＳの電波を受信するようにＧＰＳ受信部５０１を制御する。ＧＰＳ受信部５０１はＧＰＳアンテナ５０２を介して受信した信号から現在位置を演算する。ＣＰＵ２０４はその演算によって求められた位置情報を、個人情報および位置情報記憶部５０３に記憶する。この一連の処理は周期的に行われ、常に移動端末装置１０１の位置情報が更新され記憶されるようにされる。また、ＧＰＳの受信処理時刻は、任意に変更することができる。尚、ここでは、現在位置をＧＰＳから得るようにしたが、接続する基地局の識別子を受信して、大まかな位置情報を得る位置情報検出手段を使用することもできる。この場合はＧＰＳ受信部５０１およびＧＰＳアンテナ５０２は必要としない。
【００３７】
次に、図６の個人別情報提供システムの処理シーケンスおよび図１、図３および図５を参照して、本発明の第２の実施の形態における個人別情報提供システムの個人別情報提供処理手順を説明する。まず、移動端末装置５１１の個人情報および位置情報記憶部５０３には、更新された自己の位置情報が記憶されているものとする。そこで、情報提供装置１０９は、予め決められた時刻、または位置あるいは適宜任意のときに、公衆網１０６および固定局装置１０５を介して契約している移動端末装置５１１に対してアクセスする。この時、Ｓ１において、情報提供装置１０９のサーバ１０７は、送受信部３０１を介し公衆網１０６に対して接続要求を行う。次に、Ｓ２において通信リンクが確立された後、Ｓ３においてサーバ１０７は移動端末装置５１１に対して個人情報および位置情報の開示を求め、個人情報および位置情報読出し要求を送信する。移動端末装置５１１は、Ｓ４において個人情報および位置情報読出し要求を受信し、個人情報および位置情報記憶部５０３へのアクセスを許可する。サーバ１０７は、Ｓ５において個人情報および位置情報記憶部５０３に記憶されている個人情報および位置情報を読出し、Ｓ６においてその内容を基に移動端末装置５１１の所有者の属性や趣味、嗜好および位置に合致した情報を情報データベース１０８から選択する。ここで、サーバ１０７は読出した個人情報および位置情報に加え情報提供を行う日時、曜日を考慮して、提供する情報を選択するようにしても良い。Ｓ７においてサーバ１０７はＳ６において選択した情報を移動端末装置５１１に対して送信する。移動端末装置５１１では情報提供装置１０９から送信された情報を送受信部２０１を介して受信し、その内容を表示部２０３に表示する。サーバ１０７は移動端末装置５１１が情報を受信したことが確認すると、Ｓ９において通信リンクを切断する。通信リンクの切断はサーバ１０７ではなく移動端末装置５１１が行うようにしても良い。またＳ１ないしＳ９のシーケンスは移動端末装置５１１の所有者の操作を一切要求しない形で処理される。
【００３８】
次に、具体的な例を挙げて本発明の第２の実施の形態における個人別情報提供システムの処理手順を説明する。まず、移動端末装置５１１の個人情報および位置情報記憶部５０３には、更新された自己の位置情報が記憶され、移動端末装置５１１の所有者の個人情報として以下の情報が記憶されているものとする。それらは、氏名＝Ａ、年齢＝３０歳、性別＝男性、住所＝横浜市港北区、趣味＝映画鑑賞、現在位置＝横浜市中区桜木町等である。そこで、情報提供装置１０９は前述のシーケンスに従い、移動端末装置５１１の所有者の個人情報および位置情報を通信網を介して読み出す。情報提供装置１０９は、読み出した個人情報と位置情報から、横浜市内で現在公開されている映画のリストや映画館の場所などの情報を情報データベースから選択し、移動端末装置５１１に対して送信する。ここで３０歳、男性という点から映画の種類を限定したり、情報提供を行う日時から、例えば休館の映画館を除くなど映画館の情報を限定しても良い。さらに現在位置が横浜市中区桜木町という点から、最も近所と思われる映画館の放映タイムテーブルを送信する。これにより移動端末装置１０１の所有者は自らが操作することなく、無意識のうちに（自動的に）趣味である映画鑑賞に関する情報を、現在位置に合致した形で得ることができる。また、提供を受ける情報の部門や種類を選択することができ、例えば、必要な情報が映画ではなく、野球であれば、野球に予めセットしておけば、自動的に野球情報を受けることができる。
【００３９】
以上説明したように、本発明の第２の実施の形態によると、移動端末装置５１１には、通信網を介して外部から記憶内容を読み出すことが可能で、所有者の属性や趣味、嗜好に関する個人情報、さらにＧＰＳ或いは基地局の識別子から得た現在の移動端末装置５１１が存在する位置情報を記憶する個人情報および位置情報記憶部５０３を設け、情報提供装置１０９が通信網を介してこの個人情報および位置情報記憶部５０３の内容を読出し、移動端末装置５１１の所有者の属性や趣味、嗜好および位置に合致した情報を、データベースから選択し移動端末装置５１１に対して送信する。さらに移動端末装置５１１でこの情報を受信して表示部２０３に表示することにより、移動端末装置５１１の所有者は移動端末装置５１１を操作することなく、移動端末装置５１１の所有者個人の属性や趣味、嗜好に加え、位置に合致した情報を自動的に得ることができる。
【００４０】
また、情報の提供元の企業あるいは個人は、不特定多数に対してではなく、広告内容に適合する個人向けに的を絞ることができるので、効果的でかつ効率の良い広告活動を行うことができる。また情報提供の頻度や提供される情報の種類に応じて、移動端末装置５１１の情報取得時に発生する通信料或いはそれ以外に発生する通信料を、情報提供装置１０９が送信する情報の提供元の企業あるいは個人が広告料として負担し、移動端末装置所有者の通信料の負担を軽減する契約形態を適用することで、移動端末装置５１１の所有者は経済的負担が増加することなく情報提供サービスを受けることができる。
【００４１】
【発明の効果】
本発明における個人別情報提供システム、移動端末装置および情報提供装置は、上記のように構成され、特に、情報提供装置が移動端末装置から所有者の属性や趣味、嗜好に関する個人情報を取得し、その個人情報に対応する所有者が要求するであろう情報をデータベースから抽出して、移動端末装置に送信することにより、移動端末装置の所有者は操作することなく、個人の属性や趣味および現在位置等に適合した、所有者が要求するであろう情報を自動的に得ることができる。
【図面の簡単な説明】
【図１】本発明の第１および第２の実施の形態における個人別情報提供システムの構成を示すブロック図、
【図２】本発明の第１の実施の形態における個人別情報提供システムで使用する移動端末装置の構成を示すブロック図、
【図３】本発明の第１の実施の形態における個人別情報提供システムで使用する情報提供装置の構成を示すブロック図、
【図４】本発明の第１の実施の形態における個人別情報提供システムの処理シーケンスを示す図、
【図５】本発明の第２の実施の形態における個人別情報提供システムで使用する移動端末装置の構成を示すブロック図、
【図６】本発明の第２の実施の形態における個人別情報提供システムの処理シーケンスを示す図、
【図７】従来の個人別情報提供システムの一例の基本構成を示すブロック図、
【図８】従来の個人別情報提供システムの一例の処理シーケンスを示す図。
【符号の説明】
１０１、１１１、５１１、７０１　移動端末装置
１０２　無線基地局装置
１０３　無線回線制御局装置
１０４　移動通信交換局装置
１０５　固定局装置
１０６　公衆網
１０７、７０４、７０７　サーバ
１０８　情報データベース
１０９、７０６、７０９　情報提供装置
２０１、３０１　送受信部
２０２　個人情報記憶部
２０３、３０２　表示部
２０４、３０３　ＣＰＵ
２０５、３０４　ＲＡＭ
２０６、３０５　ＲＯＭ
２０７、３０６　入力部
２０８、３０７　インタフェース
２０９　アンテナ
５０１　ＧＰＳ受信部
５０２　ＧＰＳアンテナ
５０３　個人情報および位置情報記憶部
７０２　携帯電話通信網
７０３　公衆通信網
７０５、７０８　データベース
【図１】
2004038696.tif 000003
【図２】
2004038696.tif 000004
【図３】
2004038696.tif 000005
【図４】
2004038696.tif 000006
【図５】
2004038696.tif 000007
【図６】
2004038696.tif 000008
【図７】
2004038696.tif 000009
【図８】
2004038696.tif 000010